(57)【要約】【課題】内部構造がより簡単で分解洗浄が容易で、配管系の外部から弁操作が可能であり、構造上内部での雑菌の発生ないし繁殖の可能性がより小さい弁装置を提供すること。【解決手段】円筒状内面を有するハウジング１と、ハウジング１内に上下流方向へ可動にかつ水密に挿通された栓体２とを備え、栓体２は上流側へ弁部２０を有するとともに弁部２０の下流側へ周方向から流入して軸方向へ流出する流路２１を有し、栓体２が下流側へ所定量移動したとき前記流路２１が閉じ、栓体２が上流側へ所定量移動したとき前記流路２１が開かれるように構成され、栓体２の下流側部分２２の外周部は、流路２１が閉じた状態から開かれる状態まで栓体２を往復操作し得る状態に前記ハウジング１の下流側へ突出していること特徴とする。【選択図】        図1
2008256092.tif 000002
【特許請求の範囲】
【請求項１】
円筒状内面を有するハウジング（１）と、当該ハウジング（１）内に上下流方向へ可動にかつ水密に挿通された栓体（２）とを備え、当該栓体（２）は上流側へ弁部（２０）を有するとともに当該弁部（２０）の下流側へ周方向から流入して軸方向へ流出する流路（２１）を有し、前記栓体（２）が下流側へ所定量移動したとき前記流路（２１）が閉じ、前記栓体（２）が上流側へ所定量移動したとき前記流路（２１）が開かれるように構成され、前記栓体（２）の下流側部分の外周部は、前記流路（２１）が閉じた状態から開かれる状態まで当該栓体（２）を往復操作し得る状態に前記ハウジング（１）の下流側へ突出していることを特徴とする弁装置。
【請求項２】
前記弁部（２０）の外周部にはＯリング（２０ａ）が取り付けられており、前記流路（２１）は、当該Ｏリング（２０ａ）が前記ハウジング（１）内へ収まるまで前記栓体（２）が下流側へ移動したときに閉じられるように構成されている、請求項１に記載の弁装置。
【請求項３】
前記ハウジング（１）は当該ハウジング（１）の上流側端部がタンク（４）の底部から当該タンク（４）の内部へ臨む状態で水密に設置されている、請求項１又は２に記載の弁装置。
【請求項４】
前記ハウジング（１）は外周部へフランジ部（１０）を一体に有していて当該フランジ部（１０）が前記タンク（４）の底部へ固定され、
前記栓体（２）の前記ハウジング（１）から突出した下流側部分の外周部には、当該栓体（２）を前記流路（２１）が閉じる位置から当該流路（２１）が開く位置まで往復作動させる作動操作手段（３）が設けられ、
前記作動操作手段（３）は、前記フランジ部（１０）へ固定された取付板（３１）と、
当該取付板（３１）へ前記栓体（２）の軸方向に沿って回動自在に取り付けられ、先端の係止部（３０ａ）が前記栓体（２）の前記ハウジング（１）から突出した下流側部分の外周部へ係止された梃子状の操作ハンドル（３０）とを備えている、
請求項３に記載の弁装置。
【請求項５】
前記操作ハンドル（３０）の握り部側には先端の前記係止部（３０ａ）の方向へ向かって爪付レバー（３２）が回動可能に設けられ、前記取付板（３１）には前記爪付レバー（３２）の爪部（３２ａ）が引っ掛かる状態に複数の爪歯（３１ａ）が形成され、前記爪付レバー（３２）はばね（３２ｂ）により前記爪部（３２ａ）が前記爪歯（３１ａ）のいずれかへ引っ掛かった状態を保つ方向へ付勢されている、請求項４に記載の弁装置。
【発明の詳細な説明】
【技術分野】
【０００１】
本発明は弁装置に関するものである。
【背景技術】
【０００２】
弁装置は多種類存在するが、例えば最も簡単な構造の排水用の弁装置は、上流側端部に便座を備えた排水管（支持金具を含む）と、前記便座を開閉するように上下流方向へ可動に設置された弁体と、当該弁体を操作するための弁棒その他の弁操作部品を備えている。
また弁体は、前記弁操作部品を介して配水管や支持金具内へ外側から突入させた操作機構により開閉操作するように構成されている（後記各特許文献参照）。
【０００３】
従来の弁装置は、前記のような弁操作部品を配管の内部に備えているので部品点数が多く、また、弁操作は配管類の外部より前記弁棒などを介して行なうように構成されているため、構造がそれだけ複雑である。
したがって、内部で雑菌が発生ないし繁殖し易く、全体の分解洗浄性も困難である。
【特許文献１】実公昭４３−１６２０２号公報
【特許文献２】実公昭５０−４００２９号公報
【特許文献３】特開２００６−７０６３０号公報
【特許文献４】特開２００４−２３２３３２号公報
【発明の開示】
【発明が解決しようとする課題】
【０００４】
本発明の課題は、弁装置の特に配管系内部における構造の簡略化と分解洗浄性の向上にある。
本発明の目的は、内部構造がより簡単であって分解洗浄が容易かつ簡単な弁装置を提供することにある。
本発明の他の目的は、配管系の外部のみからの弁操作が可能であって構造上内部での雑菌の発生ないし繁殖の可能性がより小さい弁装置を提供することにある。
【課題を解決するための手段】
【０００５】
本発明に係る弁装置は前記課題を解決するため、円筒状内面を有するハウジング１と、当該ハウジング１内に上下流方向へ可動にかつ水密に挿通された栓体２とを備え、当該栓体２は上流側へ弁部２０を有するとともに当該弁部２０の下流側へ周方向から流入して軸方向へ流出する流路２１を有し、前記栓体２が下流側へ所定量移動したとき前記流路２１が閉じ、前記栓体２が上流側へ所定量移動したとき前記流路２１が開かれるように構成され、前記栓体２の下流側部分２２の外周部は、前記流路２１が閉じた状態から開かれる状態まで当該栓体２を往復操作し得る状態に前記ハウジング１の下流側へ突出していることを最も主要な特徴としている。
【発明の効果】
【０００６】
本発明に係る弁装置によれば、ハウジング１内に上下流方向へ可動にかつ水密に挿通された栓体２は、上流側へ弁部２０を有するとともに当該弁部２０の下流側へ周方向から流入して軸方向へ流出する流路２１を有している。
すなわち、弁部２０と栓体２は一体であるため、内部構造がより簡単で部品点数がその分少なくなるとともに、分解洗浄をより容易かつ簡単に行なうことができる。
【０００７】
また、弁部２０を有する栓体２はハウジング１内に上下流方向へ可動にかつ水密に挿通されているので、ハウジング１から突出した栓体２の下流側端部へ配管を水密に連結することができ、前記ハウジング１から下流側へ突出した部分を通じて栓体２を上下流方向へ操作することができるから、配管系の外部のみからの弁操作が可能である。
したがって、内部に弁操作用の部品が存在しないことと相まって、内部での雑菌の発生ないし繁殖が抑制される。
【発明を実施するための最良の形態】
【０００８】
以下図面を参照しながら本発明に係る弁装置の最適実施形態を説明する。
第１実施形態
図１は本発明に係る弁装置の第１実施形態を示す一部を破断した部分半裁断面図、図２は図１の弁装置における作動操作手段と他の部品との位置関係を示す概略平面図、図３は図１の矢印Ａ−Ａに沿う断面図である。
【０００９】
この実施形態はタンク４の排出弁装置として実施した状態を示しており、弁装置のユニットａは、円筒状内面を有するハウジング１と、当該ハウジング１内に上下流方向へ可動にかつ水密に挿通された栓体２とから構成されている。
前記栓体２は、上流側へ弁部２０を有するとともに当該弁部２０の下流側へ周方向から流入して軸方向へ流出する流路２１を有しており、栓体２がハウジング１に対して下流側へ所定量移動したとき前記流路２１が閉じ、栓体２が上流側へ所定量移動したとき前記流路２１が開かれるように構成されている。
栓体２の下流側部分２２の外周部は、前記流路２１が閉じた状態から開かれる状態まで当該栓体２を往復操作し得る状態に前記ハウジング１の下流側へ突出している。
【００１０】
図１には、栓体２が上流側へ限界まで移動して流路２１が最大に開いている状態が示されている。
この実施形態では、前記弁部２０の外周部にはＯリング２０ａが埋め込み状に取り付けられており、前記流路２１は、当該Ｏリング２０ａが前記ハウジング１内へ収まるまで前記栓体２が下流側へ移動したとき前記流路２１が閉じられるように構成されている。
栓体２の外周部には、当該栓体２が上下流方向へ限界まで移動した状態においてもハウジング１から脱出しない位置に、Ｏリング２３が取り付けられていることにより、栓体２がハウジング１内へ水密に挿通された状態になっている。
【００１１】
前記ハウジング１は、当該ハウジング１の上流側端部がタンク４の底部から内部へ臨む状態で当該タンク４の底部へ水密に設置されている。
この実施形態において、ハウジング１はその外周部へ一体に形成されたフランジ部１０がタンク４の底面へ複数のボルト１１（図１，２）により固定され、当該ハウジング１のフランジ部１０よりも上流側外周とタンク４底部の取付孔との間は、Ｏリング１２が圧縮状に挿入されて水密状になっている。
【００１２】
前記栓体２のハウジング１から突出した下流側部分２２の外周部には、当該栓体２を前記流路２１が閉じる位置から当該流路２１が開く位置まで往復作動させる作動操作手段３が設けられている。
この作動操作手段３は、前記フランジ部１０へ固定された取付板３１と、当該取付板３１へ栓体２の下流側部分２２の軸方向に沿って回動自在に取り付けられた梃子状の操作ハンドル３０とから構成されている。
前記取付板３１はアングル状に曲げ加工された金属板であり、その水平部３１ｂが複数のねじ３１ｃ（図１，２）により前記フランジ部１０の底部へ固定されており、当該取付板３１の主体である垂直部へ操作ハンドル３０が軸３０ｃ（図１，２）により回動自在に取り付けられている。
【００１３】
操作ハンドル３０の前記栓体２側に位置する先端部は二股状部３０ｂに形成され（図２）、各二股状部３０ｂの先端は短い軸ピンないしローラからなる係止部３０ａを構成しており、各係止部３０ａは前記栓体２の下流側部分２２の外周部に形成されたリング状の溝部２２ａへ案内された状態で係止されている。
操作ハンドル３０の握り部側には前記係止部３０ａの方向へ向かって爪付レバー３２が軸３２ｃによって回動可能に取り付けられており、他方、前記取付板３１には爪付レバー３２の先端の爪部３２ａが引っ掛かる状態に複数の爪歯３１ａが形成されている。
また、前記操作ハンドル３０の握り部側と爪付レバー３２の間には、当該爪付レバー３２の先端の爪部３２ａが前記爪歯３１ａのいずれかへ引っ掛かった状態を保つように当該爪付レバー３２を付勢するばね３２ｂが取り付けられている。
【００１４】
なお、符号３１ｄは栓体２が下流側の限界位置を超えて移動しないように操作ハンドル３０の動きを抑制するため、取付板３１へ取り付けられたストッパ、符号２ａは栓体２が上流側の限界位置を越えて移動しないように抑制するため、当該栓体２へ形成されたストッパである。
しかし、これらのストッパ２ａ，３１ｄは前記爪歯３１ａ，爪付レバー３２の爪部３２ａ及びばね３２ｂがあれば必須構成部分ではない。
【００１５】
前記実施形態の弁装置は、栓体２の下流側部分２２の端部には図示しない排水配管が接続された状態で使用される。
このような使用状態において、作動操作手段３の操作ハンドル３０の係止部３０ａが図１の実線で示す流れ方向の上限位置にあるときは、栓体２の弁部２０が上流側の限界位置にあり、流路２１は最大に開かれる。このとき、栓体２のストッパ２ａはハウジング１の下流側端部へ突き当る。
【００１６】
他方、操作ハンドル３０の握り部側を爪付レバー３２とともに掴んで図１の反時計方向へ限界まで回動させ、操作ハンドル３０及び爪付レバー３２から手を離すと、爪付レバー３２の爪部３２ａが最上位近くの爪歯３１ａに引っ掛かり、これらは図１の二点鎖線の位置で停止する。この状態において、栓体２は流れ方向の下限位置に移動して弁部２０がハウジング１内へ没入し、弁部２０のＯリング２０ａがハウジング１の上端部分の内周面へ密に接触するので、流路２１は閉じられる。このとき、操作ハンドル３０は取付板３１へ取り付けられているストッパ３１ｄへ突き当る。
【００１７】
操作ハンドル３０を爪付レバー３２とともに回動操作する途中で停止すると、その位置で爪付レバー３２の爪部３２ａがいずれかの爪歯３１ａへ引っ掛かってストッパの作用を果すので、流路２１は全閉・全開のいずれでもない状態となり、流路２１を流れる流体の流量を調整することができる。
【００１８】
前記実施形態の弁装置によれば、ユニットａはハウジング１と栓体２の二つの構成部品のみであり、内部構造がより簡単で部品点数がその分少なくなるとともに、分解洗浄を簡単に行なうことができる。
特に、前記のように作動操作手段３を構成する操作ハンドル３０をハウジング１のフランジ部１０へ取り付け、当該操作ハンドル３０の先端の係止部３０ａをハウジング１から下流側へ突出した栓体２の下流側部分２２へ係止することにより、全体が一体化するから、全体として取扱いや取付・取外しが非常に容易になるほか、分解洗浄作業も一層容易となる。
【００１９】
弁部２０を有する栓体２はハウジング１内に上下流方向へ可動にかつ水密に挿通されているので、ハウジング１から突出した栓体２の下流側端部へ配管を水密に連結することにより、前記ハウジング１から下流側へ突出した部分を通じて栓体２を上下流方向へ操作することができるから、配管系の外部からの弁操作が可能になる。
したがって、内部に弁操作用の部品が存在しないことと相まって、内部での雑菌の発生ないし繁殖も抑制される。
【００２０】
作動操作手段３における操作ハンドル３０を梃子状に構成したことにより、より小さい力で栓体２を操作することができる。
操作ハンドル３０の握り部側には係止部３０ａの方向へ向かって爪付レバー３２が回動可能に取り付けられており、他方前記取付板３１には、ばね３２ｂによって爪付レバー３２の先端の爪部３２ａが引っ掛かる状態に複数の爪歯３１ａが形成されているので、操作ハンドル３０は前記栓体２をその作動ストローク内の所望の位置で停止させることができる。
【００２１】
第２実施形態
図４は本発明に係る弁装置の第２実施形態を示す半裁断面図であり、作動操作手段３が省略されている。
ハウジング１は上流側配管５の下流側端部へＯリング１２を介して水密に取り付けられており、このハウジング１内には、栓体２が上下流方向へ可動にかつ液密に挿通されている。上流側配管５とハウジング１との固定は、フランジ部１０の部分相互をボルト締めすることにより行なう。
栓体２の大半の構成は第１実施形態と同様であるが、弁部２０の構成を異にしているのでその異なる構成について説明する。
【００２２】
弁部２０は常時ハウジング１から上流側へ突出するように、その外径は栓体２の他の部分よりもやや大径にしてあり、その下流側外周部分にはシール材２０ｂが取り付けられている。図示の状態では栓体２の流路２１が最大に開いているが、栓体２が下流方向へ移動して前記シール材２０ｂが便座（符号なし）を構成するハウジング１の上流側端面と水密に接触したときに、流路２１が閉じられるように構成されている。
ハウジング部１の上流側端部の便座部分は、図示の形態では平面座であるが、円錐座や植込座の形態であっても差し支えない。
栓体２のハウジング１から下流方向へ突出した下流側部分２２の下流側端部は、Ｏリング２４を介して下流側配管６の端部内へ上下流方向に可動でかつ水密に接続されており、下流側配管６は図示しない他の部材へ固定されている。
【００２３】
この実施形態の弁装置は、第１実施形態におけると同様な作動操作手段３を取り付けることにより、流体の配管の途中で流路２１を遮断したり開通したりする遮断弁として、あるいは流路２１における流量を調整する調整弁として使用される。
この実施形態の弁装置における他の構成や作用効果は、第１実施形態の弁装置とほぼ同様であるのでそれらの説明は省略する。
【００２４】
その他の実施形態
第１実施形態の弁装置におけるユニットａは、第２実施形態の弁装置のユニットａと同様な状態で使用することができるとともに、第２実施形態の弁装置におけるユニットａも第１実施形態の弁装置のユニットａと同様な状態で使用することができる。
前記各実施形態の弁装置において、作動操作手段３は、前記のように栓体２を外周部から直接操作する形態に代えて、栓体２をその下流側部分２２の外周部を通じて図示しない適当な遠隔操作機構により間接的に操作する形態のものでも実施することができる。
【図面の簡単な説明】
【００２５】
【図１】本発明に係る弁装置の第１実施形態を示す一部を破断した部分半裁断面図である。
【図２】図１の弁装置における作動操作手段と他の部品との位置関係を示す概略平面図である。
【図３】図１の矢印Ａ−Ａに沿う断面図である。
【図４】本発明に係る弁装置の第２実施形態を示す半裁断面図である。
【符号の説明】
【００２６】
１  ハウジング
１０  フランジ部
１１  ボルト
２  栓体
２０  弁部
１２，２０ａ，２３，２４  Ｏリング
２０ｂ  シール部材
２１  流路
２２  下流側部分
３  作動操作手段
３０  操作ハンドル
３０ａ  係止部
３１  取付板
３１ａ  爪歯
３２  爪付レバー
３２ａ  爪部
３２ｂ  ばね
４  タンク
５  上流側配管
６  下流側配管
【図１】
2008256092.tif 000003
【図２】
2008256092.tif 000004
【図３】
2008256092.tif 000005
【図４】
2008256092.tif 000006